(57)【要約】【課題】  第２種のパチンコ機であって、変動入賞装置の後方で表示を行っても、その遊技空間部における遊技球の分別遊技に対して遊技者の注意を促せる遊技機を提供する。【解決手段】  第１変動入賞装置４の内側には、表示部２０ａを見せるための前後に開口した中空部４ａを形成し、前記中空部の底面上に遊技空間部の下流側を形成するとともに、前記表示部を見る遊技者の妨げにならないように前記中空部の前面側内周縁に沿って枠体４０（柱部材４１と梁部材４２）を配設し、頂部より両側方に下り傾斜した遊技球の案内路６０ａを有する分岐部材６０を、枠体４０に対して一体的に設け、この分岐部材の頂部を第１変動入賞装置４に入賞した遊技球が流下する位置に配置し、枠体４０を分岐部材６０とともに左右に揺動可能とし、分岐部材６０の両側方には、案内路６０ａの傾斜下端から流下した遊技球を遊技空間部の下流側に案内する連通流路６４を設ける。【選択図】  図３
2006271833.tif 000002
【特許請求の範囲】
【請求項１】
所定入賞部への遊技球の入賞に基づいて遊技球を受け入れない閉状態から遊技球を受け入れる開状態へ変換して補助遊技を行う可動部材と、前記可動部材により受け入れられた遊技球が流入する遊技空間部と、該遊技空間部の下流側に配設された入賞領域と、を有する変動入賞装置を備え、
前記補助遊技中に前記可動部材により受け入れられた遊技球が前記入賞領域のうちの特定領域へ入賞すると、補助遊技よりも有利な態様で可動部材を前記開状態へ変換する特別遊技を行う遊技機において、
前記変動入賞装置の内側には、前後に開口する中空部を形成し、該中空部の後方から演出表示装置の表示部を遊技者に見えるように遊技機前面側に対して臨ませて配置し、前記中空部の底面上に前記遊技空間部の下流側を形成するとともに、前記表示部を見る遊技者の妨げにならないように前記中空部の前面側内周縁に沿って枠体を配設し、
頂部より左右両側方に下り傾斜した遊技球の案内路を有する分岐部材を、前記枠体に対して一体的に設け、該分岐部材の頂部を前記可動部材により受け入れられた遊技球が流下する位置に配置し、前記枠体を前記分岐部材とともに左右に揺動可能とし、
前記枠体の左右両側方には、前記頂部に流下して前記分岐部材の案内路の傾斜下端から流下した遊技球を前記遊技空間部の下流側に案内する連通流路を設けたことを特徴とする遊技機。
【請求項２】
前記変動入賞装置は、遊技機に固定するための取付ベースを有し、
前記枠体は、前記中空部の前面両側に縦方向に配置されて前記取付ベースに対して下端側をピン接点で結合する一対の柱部材と、前記中空部の前面上縁に横方向に配置されて夫々の柱部材の上端側に対して両端側をピン接点で結合する梁部材と、を有するとともに、
前記分岐部材は、前記梁部材に対して一体的に設けられていることを特徴とする請求項１に記載の遊技機。
【請求項３】
前記遊技空間部の下流側には、
前記連通流路の夫々の下流に夫々設けられて、前記連通流路によって案内された遊技球を誘導する複数の誘導部と、
該複数の誘導部の夫々から夫々周縁部に遊技球が誘導される構成とされ、該周縁部に前記特定領域及び特定領域でない入賞領域が形成された複数の回転体と、を備え、
夫々の回転体の特定領域が夫々の誘導部に対して非同期で臨む構成としたことを特徴とする請求項１又は２の何れかに記載の遊技機。
【発明の詳細な説明】
【技術分野】
【０００１】
本発明は、いわゆる羽根ものと呼ばれる第２種のパチンコ機（羽型の可動部材で遊技空間部を開閉する変動入賞装置を備えるタイプ）などの遊技機に関する。
【背景技術】
【０００２】
従来の遊技機の中に所謂第２種パチンコ遊技機があり、この第２種パチンコ遊技機は、遊技盤に配設された始動口（所定入賞部）への遊技球の入賞により可動部材が開放する補助遊技を行う変動入賞装置が設けられている。この変動入賞装置には、可動部材により受け入れられた遊技球が流入する遊技空間部（入賞空間と呼ばれることもある）が形成され、遊技空間部の下流には特定領域及び一般領域（特定領域でない入賞領域）が配設されて、遊技空間部に設けられた分別部材により遊技球を特定領域或いは一般領域の何れかに振り分ける分別遊技が行われる。この分別遊技の結果として遊技球が特定領域に分別されると、補助遊技よりも有利な態様で可動部材を開放する（例えば、開放回数を多くしたり、開放時間を長くしたりする）特別遊技が行われる。
【０００３】
即ち、いわゆる羽根ものと呼ばれる第２種のパチンコ機では、特許文献１に見られるように、通常、遊技盤面の遊技領域中央に設けられた特別電動役物が、前記変動入賞装置となっている。そして、この特別電動役物は、内側に入賞空間を有し、この入賞空間の奥に、特別な入賞として検出される特定領域を有する。またこの特別電動役物は、その入賞空間の入口を開閉する可動片（可動部材）を備えており、この可動片が開状態に作動すると、遊技盤面上の遊技領域を流下する遊技球が入賞空間内に流入し易い状態となり、逆にこの可動片が閉状態に作動すると、遊技盤面上の遊技領域を流下する遊技球が入賞空間内に流入できない状態となる。
そして、遊技制御装置などの制御手段が、遊技盤面上に設けられた所定入賞部（例えば、始動入賞口と呼ばれる入賞口）への入賞検出や、前記特定領域への入賞検出などを監視しつつ、前記変動入賞装置の可動片を開状態又は閉状態に制御して遊技を進行させる。
【０００４】
例えば制御手段は、まず、遊技領域を流下する遊技球が始動入賞口に入賞したか否かを監視しており、始動入賞口への入賞があると、前記可動片を比較的短い一定時間だけ開状態に作動させる補助遊技（始動遊技或いは予備遊技ともいう）を実行する状態（補助遊技状態）を生起させ、この補助遊技によって前記可動片が開状態にあるときに前記入賞空間内に入った遊技球が前述の分別遊技によってＶ入賞口（特定領域）に入賞すると、いわゆる大当りという遊技価値が付与された特別な状態（特別遊技状態）になったとして、所定の終了条件が成立するまで（例えば、可動片の作動回数が１８回になるか、或いは、前記入賞空間への入賞球数が１０個になるまで）を１ラウンドとして、前記可動片を間欠的に開状態に作動させる特別遊技を行い、さらに、前記特別遊技を所定の範囲内（通常、１５ラウンド内）において、ラウンド単位で継続させて繰り返し実行する。
【０００５】
ところで、上記の第２種パチンコ遊技機にあって、特許文献１に開示された変動入賞装置は、遊技空間部の後方を開口して液晶表示器等の表示器を臨ませ、遊技空間部における遊技球の挙動と、表示器における演出表示（状態報知等を含む）と、を見せることにより遊技者の興趣を高めている。
【０００６】
【特許文献１】特開平１１−３１９２３１号公報
【発明の開示】
【発明が解決しようとする課題】
【０００７】
しかし、上記従来の第２種パチンコ遊技機のように変動入賞装置の遊技空間部の後方で液晶表示器等による演出表示を行うと、遊技者の視線がこの表示器に注がれる傾向にあり、第２種パチンコ遊技機に対して遊技者が最も興趣を感じる筈の遊技空間部における遊技球の分別遊技を見逃す虞がある。
【０００８】
そこで本発明は、変動入賞装置の遊技空間部の後方で表示器（液晶表示器又はＣＲＴ等）による演出表示を行っても、遊技空間部における遊技球の分別遊技に対して遊技者の注意を促せる遊技機を提供することを目的としている。
【課題を解決するための手段】
【０００９】
本願請求項１記載の遊技機は、所定入賞部への遊技球の入賞に基づいて遊技球を受け入れない閉状態から遊技球を受け入れる開状態へ変換して補助遊技を行う可動部材と、前記可動部材により受け入れられた遊技球が流入する遊技空間部と、該遊技空間部の下流側に配設された入賞領域と、を有する変動入賞装置を備え、
前記補助遊技中に前記可動部材により受け入れられた遊技球が前記入賞領域のうちの特定領域へ入賞すると、補助遊技よりも有利な態様で可動部材を前記開状態へ変換する特別遊技を行う遊技機において、
前記変動入賞装置の内側には、前後に開口する中空部を形成し、該中空部の後方から演出表示装置の表示部を遊技者に見えるように遊技機前面側に対して臨ませて配置し、前記中空部の底面上に前記遊技空間部の下流側を形成するとともに、前記表示部を見る遊技者の妨げにならないように前記中空部の前面側内周縁に沿って枠体を配設し、
頂部より左右両側方に下り傾斜した遊技球の案内路を有する分岐部材を、前記枠体に対して一体的に設け、該分岐部材の頂部を前記可動部材により受け入れられた遊技球が流下する位置に配置し、前記枠体を前記分岐部材とともに左右に揺動可能とし、
前記枠体の左右両側方には、前記頂部に流下して前記分岐部材の案内路の傾斜下端から流下した遊技球を前記遊技空間部の下流側に案内する連通流路を設けたことを特徴とする。
【００１０】
また、本願請求項２記載の遊技機は、請求項１記載の遊技機において、前記変動入賞装置は、遊技機に固定するための取付ベースを有し、
前記枠体は、前記中空部の前面両側に縦方向に配置されて前記取付ベースに対して下端側をピン接点で結合する一対の柱部材と、前記中空部の前面上縁に横方向に配置されて夫々の柱部材の上端側に対して両端側をピン接点で結合する梁部材と、を有するとともに、
前記分岐部材は、前記梁部材に対して一体的に設けられていることを特徴とする。
【００１１】
また、本願請求項３記載の遊技機は、請求項１又は２の何れかに記載の遊技機において、
前記遊技空間部の下流側には、
前記連通流路の夫々の下流に夫々設けられて、前記連通流路によって案内された遊技球を誘導する複数の誘導部と、
該複数の誘導部の夫々から夫々周縁部に遊技球が誘導される構成とされ、該周縁部に前記特定領域及び特定領域でない入賞領域（即ち、一般領域）が形成された複数の回転体と、を備え、
夫々の回転体の特定領域が夫々の誘導部に対して非同期で臨む構成としたことを特徴とする。
【発明の効果】
【００１２】
本願請求項１に記載の遊技機では、可動部材により変動入賞装置内に受け入れられた遊技球が、分岐部材の左右両側方の何れかに振り分けられ、何れかの側の連通流路を経て、入賞領域のある遊技空間部の下流側に流下する。そして、この振り分けの方向は、揺動する分岐部材の頂部の位置によって変化する。しかも、表示器を前面に臨ませる中空部の前面側内周縁に沿って枠体が設けられ、この枠体が分岐部材と一体に揺動する。
このため、遊技者は、枠体の揺動状態から、可動部材により変動入賞装置内に受け入れられた遊技球の振り分け動作を意識したり、振り分け方向を予想したりするようになり、変動入賞装置内の遊技球の動きにも注目するようになる。即ち、本遊技機によれば、表示部を注視する遊技者に対して、遊技空間部でゲームを行う準備球（入賞領域に流入する遊技球、即ち連通流路を通過する遊技球）などの遊技球の動きに注目させることができ、遊技空間部における遊技球によるゲームを遊技者が見逃すことがない。
【００１３】
また請求項２記載の態様であると、枠体が、下端側をピン接点で支持された一対の柱部材と、各柱部材の上端をピン接点で結合する梁部材とよりなる門形の形状であり、この門形の枠体が、前記中空部の前面両側と上縁に配設され、分岐部材と一体に左右に揺動する（柱部材の上端側と梁部材が概略左右に移動するように揺動する）。このため、表示部を見る遊技者の妨げにならないようにしつつ、遊技者に分岐部材の動きを見せることが、効果的かつ確実に可能となる。
【００１４】
また請求項３記載の態様であると、可動部材により変動入賞装置内に受け入れられた遊技球は、連通流路と誘導部を経て、遊技空間部の下流側（中空部の底面）に設けられた回転体の周縁部の入賞領域（特定領域又は一般領域）に入賞する。この際、特定領域に入るか、一般領域に入るかは、回転体の各領域と誘導部の位置関係（即ち、回転体の回転位置）によって決まる。ところが本遊技機では、複数の回転体の特定領域が夫々の誘導部に対して非同期で臨む構成となっているとともに、分岐部材により遊技球が左右何れかへ振り分けられるため、特定領域へ入賞する可能性と遊技球を変動入賞装置に対して発射するタイミングとの関係性がほとんどなくなる。このため、周期性のある回転体を分別手段に用いているにもかかわらず、特定領域の狙い打ちを行い難くでき、遊技の公正を期すことができる。
【発明を実施するための最良の形態】
【００１５】
以下、本発明の実施の形態として、パチンコ装置に適用した場合の形態例を、図面を参照して説明する。
（第１形態例）
Ａ．遊技盤の正面構成
まず、遊技盤１０の正面構成を説明する。
図１は本例のパチンコ機の遊技盤１を示す正面図である。図１において、遊技盤１の前面には、略円形領域がガイドレール２で囲まれることにより遊技領域３が形成されている。遊技領域３は、球を上方から落下させつつアウトあるいはセーフの判定（入賞したか否かの判定）を行う領域であり、遊技球が入賞して有効にセーフとなる場合は、所定数の遊技球が図示省略した遊技機正面の上皿に排出される（即ち、賞球として排出される）構成となっている。遊技領域３の略中央部には羽根型の可動部材を持つ変動入賞装置（第１変動入賞装置４が、この第１変動入賞装置４の左右両側には一般入賞口５，６が、第１変動入賞装置４の真下には始動入賞口７（２回開きの始動入賞口）が、この始動入賞口７の左右両側には始動入賞口８，９（１回開きの始動入賞口）が、それぞれ配設されている。
【００１６】
この場合、始動入賞口７〜９（所定入賞部）の何れかに遊技球が入賞すると、第１変動入賞装置４の後述する可動片３２，３３（可動部材）が所定回数開閉動作する。この場合、始動入賞口７に遊技球が入賞すると、前記可動片が２回開閉動作し、始動入賞口８，９に遊技球が入賞すると、前記可動片が１回開閉動作する構成、つまり、いわゆる補助遊技中に第１変動入賞装置４内（遊技空間部内）へ遊技球が入る可能性が、始動入賞口の種類によって異なるように構成されている。但し、この構成に限らず、例えば上記開閉動作の回数が全ての始動入賞口について同じでもよい。
【００１７】
また、遊技領域３の適宜位置には、その他に風車と呼ばれる打球方向変換部材１０〜１３が回転自在に複数配設されている。一方、遊技領域３の中央下部にはアウト球回収口１４が形成されている。
また、始動入賞口７の下方であって、アウト球回収口１４の上方の位置には、第２変動入賞装置１５が設けられている。第２変動入賞装置１５は、いわゆるアタッカーと呼ばれる入賞装置であり、前面の開閉扉１６が開状態になると、遊技球が入賞可能となる。
【００１８】
また、遊技盤１０に設けられた全ての入賞口には、各入賞口毎に入賞を検出するセンサ（例えば、近接センサ）が配置されている。詳細は図１０によって後述する。
【００１９】
なお、遊技盤１のベース部分を構成する基板（いわゆるベニア）には、この基板の裏側に張り出す第１変動入賞装置４が、この基板に干渉しないようにするための開口（図示省略）が設けられている。また、第１変動入賞装置４の内側には、第１変動入賞装置４の裏側に配設される演出表示装置２０（図１０に示す）の表示部２０ａを遊技機前面側に対して臨ませる（即ち、遊技機正面に座った遊技者が見えるようにする）ための中空部４ａ（前後に開口した空間）が形成されている。ここで、中空部４ａは、第１変動入賞装置４の遊技空間部としても機能する。即ち、中空部４ａの底面上に前記遊技空間部の下流側が形成されている（詳細後述する）。
また通常、遊技領域３には、天釘やヨロイ釘といった多数の障害釘が設けられるが、ここでは繁雑になるので図示省略している。また、同様に図示省略しているが、遊技盤前面には、各種装飾ランプや、ＬＥＤ等、或いは他の一般入賞口が設けられていてもよい。
なお、遊技盤１は、始動入賞口と、可動部材で入賞空間（遊技空間部）を開閉する変動入賞装置を備えたものであれば、任意の構成を取り得る。
【００２０】
Ｂ．変動入賞装置の詳細構成
次に、第１変動入賞装置４の詳細構成について、図２〜図９により説明する。図２は、第１変動入賞装置４の正面図、図３は、第１変動入賞装置４の斜視図である。また、図４は、第１変動入賞装置４の分解斜視図（後述する取付ベース３０を取り外して除外し、枠体を構成する部材等を取り外した状態）、図５は、第１変動入賞装置４の後述する裏機構５０の分解斜視図である。また、図６は、第１変動入賞装置４の後述する回転体７３，７４等を含む入賞領域構成部７０を示す斜視図、図７は、前記入賞領域構成部７０の分解斜視図である。また、図８は図２におけるＡ１断面図である。また、図９は前後方向に垂直な面で後述する分岐部材６０や連通流路６４を切断した断面図である。
【００２１】
第１変動入賞装置４は、図２や図３などに示すように、遊技盤１の基板の表面に固定される板状の取付ベース３０を中心に構成された装置である。この第１変動入賞装置４は、取付ベース３０の外周縁の複数箇所（図の場合、７箇所）に設けられた取付穴３０ａを利用して遊技盤１の前記基板（遊技領域の略中央）にビス止め等によって取付けられる。
そして、取付ベース３０の前面における上端部中央には、前面が飾りとしても機能する上端側鎧部３１が形成されている。また取付ベース３０の前面側には、前記上端側鎧部３１の左右の端の下側の位置に、可動片（可動部材）３２，３３が設けられているとともに、これら可動片の間の位置には、第１変動入賞装置４の内部（即ち、遊技空間部）への導入口３４と導入案内路３５が設けられている。また、取付ベース３０の前面側における導入口３４の上方には、大当たりや始動入賞を報知するための状態表示器３６（図２に示す）が設けられている。状態表示器３６は、例えば点灯状態により情報を報知するランプよりなる。
ここで、上端側鎧部３１は、取付ベース３０の前面から遊技盤前面のガラス板（図示省略）の内面近傍まで出っ張っており、この部分を遊技球が流下できない構成となっている。
【００２２】
また、前記上端側鎧部３１の左右の端の下側の空間は、第１変動入賞装置４への遊技球の最初の入口（以下、第１変動入賞装置４の大入賞口という）となっていて、可動片３２，３３はこの大入賞口を開閉する。
即ち、可動片３２，３３は、略直立状に起立した状態（大入賞口を閉塞した閉状態、図１に示す）から上端が外側に倒れた状態（大入賞口を開放した開状態、片側の開状態のみを図２及び図３に示す）まで回動可能に取付けられている。なお、これら可動片３２，３３が閉状態に維持されると、流下してきた遊技球が第１変動入賞装置４内の遊技空間部に流入することが阻止される遊技者にとって不利な状態となり、開状態に揺動すると、流下してきた遊技球がこれら可動片３２，３３により受け止められて第１変動入賞装置４内の遊技空間部に流入し易い遊技者にとって有利な状態となる。なお、図２等において、片側の可動片のみが開状態となっている様子を図示しているが、実際には、両方の可動片３２，３３が同時に開状態となる。
【００２３】
また、導入口３４は、取付ベース３０の裏側（奥側）に連通する開口であり、導入案内路３５は、可動片３２，３３により前記大入賞口内に受け入れられた遊技球Ｋを導入口３４を経由して奥側に案内するもので、そのために上面が奥に向かって下方に傾斜している（図８参照）。なおこの場合、導入案内路３５は、後述する裏機構前面部材５１の前面に形成されている（図４参照）。
【００２４】
また、取付ベース３０の前面側には、可動片３２，３３の根元位置から左右両側に伸びるように、下側鎧部３７，３８が設けられている。この下側鎧部３７，３８は、中空部４ａの前面側周辺（上辺と左右両辺）を囲うように形成されている。この下側鎧部３７，３８も、取付ベース３０の前面から遊技盤前面のガラス板（図示省略）の内面近傍まで出っ張っており、この部分を遊技球が流下できない構成となっている。つまりこれによって、可動片３２，３３に受け入れられなかった遊技球が中空部４ａ内に直接流入しない構成（即ち、前記大入賞口から入る遊技球のみが第１変動入賞装置４内の遊技空間部に流入できる構成）となっている。なおこの場合、比較的上方中央側の下側鎧部３７は、後述する裏機構前面部材５１の前面に形成され（図４参照）、下側鎧部３７よりも左右両側の下方に位置する下側鎧部３８は、取付ベース３０の前面に形成されている。
【００２５】
また、取付ベース３０の前面側であって、前記中空部４ａの前面側内周縁（上辺と左右両辺）に沿う位置（下側鎧部３７，３８よりも内側位置）には、門型の枠体４０が配設されている。枠体４０は、前記中空部４ａの前面両側に縦方向に配置されて取付ベース３０に対して下端側をピン接点で結合する一対の柱部材４１と、前記中空部４ａの前面上縁に横方向に配置されて夫々の柱部材４１の上端側に対して両端側をピン接点で結合する梁部材４２と、よりなる。なお、本例の第１変動入賞装置４は、デコレーションを施したトラック（いわゆるデコトラ）を模したデザインとなっており、上記枠体４０は、このデコトラのフロントウインドウ周囲の車体フレームに相当する。このデザインの関係で、柱部材４１には、ドアミラーに相当する飾り４１ａが形成されており、梁部材４２には、トラックの前部下方を見るためのミラーに相当する飾り４２ａが形成されている。
また、取付ベース３０の前面側であって、前記中空部４ａの下方位置には、デコトラの前面下部に相当する飾り部材４３が設けられており、さらにこの飾り部材４３の上端位置には、デコトラのエンブレムに相当する可動飾り部材４４が、飾り部材４３とは別体に設けられている。なお、飾り部材４３は取付ベース３０に対して固定状態に取り付けられるが、可動飾り部材４４は、前後動可能に取り付けられる（詳細、後述する）。
【００２６】
次に、第１変動入賞装置４の奥側（取付ベース３０の裏側）には、図４に示す裏機構５０が設けられている。以下、この裏機構５０を図４や図５などによって説明する。
裏機構５０は、図５に示すように、裏機構前面部材５１と、裏機構後面部材５２と、下縁構成部材５３と、モータ取付部材５４と、分岐部材モータ５５と、駆動ギア５６と、従動ギア５７と、駆動レバー５８と、分岐部材位置検出センサ５９と、分岐部材６０と、前側支持リンク６１と、後側支持リンク６２と、カウントセンサ上ホルダ６３と、入賞領域構成部７０と、を備える。
【００２７】
裏機構前面部材５１は、前述の導入口３４としての開口５１ａや前述の導入案内路３５が、左右方向の中央に形成された部材で、その左右両側には、連通流路６４の前面側を構成する樋状部５１ｂが形成されている。
裏機構後面部材５２は、導入案内路３５によって奥側に流下した遊技球Ｋを、鉛直下方に案内して分岐部材６０の所定位置に落下させる落下流路５２ａが、左右方向中央の上端部に形成された部材であり（図８参照）、その左右両側には、連通流路６４の後面側を構成する樋状部５２ｂが形成されている。
【００２８】
なお、連通流路６４は、分岐部材６０の後述する案内路６０ａの傾斜下端から流下した遊技球を遊技空間部の下流側（この場合、中空部４ａの底面側、即ち、後述する誘導樋９３，９４上）に案内する流路であり、この場合図９に示すように概略円弧状の形状とされている。そしてこの場合、分岐部材６０からこの連通流路６４の上部に流入した遊技球は、図５において矢印Ｘ１で示すように、この連通流路６４内をまず下方に流下し、その後矢印Ｘ２で示すように、この連通流路６４の下端部を奥側斜め下方に向かって流下する構成となっている。
また、裏機構前面部材５１と裏機構後面部材５２は、連通流路６４を構成するように所定の位置関係で互いに接合された状態で、取付ベース３０の裏面に固定状態に取り付けられる（即ち、遊技盤１の基板に固定状態とされている）。
【００２９】
下縁構成部材５３は、入賞領域構成部７０の前面側を保持する部材で、やはり取付ベース３０の裏面に固定状態に取り付けられる（即ち、遊技盤１の基板に固定状態とされている）。
モータ取付部材５４は、分岐部材モータ５５や従動ギア５７を保持する部材であり、裏機構後面部材５２の裏面側に固定状態に取り付けられる。
分岐部材モータ５５は、分岐部材６０と枠体４０を左右に揺動させるためのモータであり、出力軸が前後方向に配置され、その先端がモータ取付部材５４の前面に突出するように、モータ取付部材５４に裏面から取り付けられる。
駆動ギア５６は、分岐部材モータ５５の出力軸の先端に固定され、従動ギア５７と噛み合うように設けられるギアである。
【００３０】
従動ギア５７は、この場合中心軸５７ａを有する扇型のギアであり、駆動レバー５８と一体に形成されたものである。この従動ギア５７は、モータ取付部材５４と裏機構後面部材５２の間の位置に配置され、モータ取付部材５４や裏機構後面部材５２に対して中心軸５７ａを中心として揺動自在に支持される。なお、中心軸５７ａは、分岐部材モータ５５の出力軸と平行な方向（即ち、前後方向）に配置される。
駆動レバー５８は、従動ギア５７の中心軸５７ａの下側に平行に設けられ、前記中心軸５７ａと所定の間隔（オフセット）をあけて形成された筒状軸受部５８ａを有する部材である。なお、従動ギア５７が揺動すると、この駆動レバー５８の筒状軸受部５８ａは、中心軸５７ａを中心として揺動（所定角度の回転運動）する。この場合、分岐部材モータ５５の制御によって、筒状軸受部５８ａ及びこれに連結される分岐部材６０は、概略左右方向に若干量（例えば左右に３ｍｍずつ）動くように駆動される。
分岐部材位置検出センサ５９は、上記制御のために、従動ギア５７の揺動位置を検出するためのセンサである。
【００３１】
分岐部材６０は、頂部より両側方に下り傾斜した遊技球の案内路６０ａと、中心部裏面から後方に伸びるように形成された中心軸６０ｂと、を有する部材である。この分岐部材６０の案内路６０ａの頂部上面には断面半円状の振分け突起６０ｃが形成されている。また、案内路６０ａの両端位置下部には、前後方向の貫通孔６０ｄが形成されている。なお、中心軸６０ｂは、裏機構後面部材５２に形成された長孔５２ｃを貫通して、裏機構後面部材５２の裏側に伸びるように組みつけられ、その先端が前述の筒状軸受部５８ａに挿入される。なお、長孔５２ｃは、分岐部材６０の揺動を許すように（中心軸６０ｂとの干渉を避けるように）、横方向に伸びる円弧状の形状となっている。また、この分岐部材６０は、図９に示すように配置され、前述の落下流路５２ａから落下した遊技球Ｋが振分け突起６０ｃの位置又はその近傍に落下し、かつ、この分岐部材６０の案内路６０ａを流下した遊技球Ｋが前述の連通流路６４に流入する構成となっている。
【００３２】
なお、柱部材４１が直立した中立状態では、図９に実線で示すように、振分け突起６０ｃの中心位置が、落下流路５２ａの中心位置（中立位置）に制御されるが、落下流路５２ａの一側（右側）壁下部に前後方向に突条５２ｆが設けられ、この突条５２ｆにより他側（左側）壁方向に遊技球を落下せしめ、これにより中立状態では、落下流路５２ａから落下したほとんどの遊技球が、分岐部材６０の左側（後述する回転体７３の側）に流下する構成となっている。そして、分岐部材６０は、分岐部材モータ５５の動作によって、前述した筒状軸受部５８ａとともに、前記中立位置を中心として、左右両方向に所定量動く構成となっている。この際、分岐部材６０が、中立位置よりも左側に所定量動くと（分岐部材６０が例えば図９に破線で示した位置になると）、落下流路５２ａから落下したほとんどの遊技球が、分岐部材６０の右側（後述する回転体７４の側）に流下する構成となっている。
【００３３】
次に図５に示すように、前側支持リンク６１と後側支持リンク６２は、分岐部材６０の両端部を前後から挟むように取り付けられる部材であり、それぞれ、上端に前後方向の筒状軸受部６１ａ，６２ａが形成されている。また、前側支持リンク６１の下端には、前面側に前方に伸びるピン６１ｂが、後面側に後方に伸びるピン６１ｃが形成されている。また、後側支持リンク６２の下端には、前後方向の貫通孔６２ｂが形成されている。
そして、筒状軸受部６１ａ，６２ａは、組付け状態において相互に接合され、これら筒状軸受部６１ａ，６２ａ内には、裏機構後面部材５２に形成された突出軸５２ｄ（図５参照）が挿通され、この突出軸５２ｄを中心として前側支持リンク６１と後側支持リンク６２（ひいては、分岐部材６０等）が揺動可能となっている。
【００３４】
また組付け状態において、前側支持リンク６１のピン６１ｃは、分岐部材６０の貫通孔６０ｄに挿通され、さらにその先端側が後側支持リンク６２の貫通孔６２ｂに挿入され、これにより分岐部材６０の両端が各リンクによって支持され、分岐部材６０は、その姿勢を維持しつつ左右方向に揺動可能となっている。なお、ピン６１ｃの先端（貫通孔６２ｂから後方に突出する部分）は、裏機構後面部材５２に形成された長孔５２ｅ（図５参照）に挿入されて支持されている。ここで、長孔５２ｅは、分岐部材６０と梁部材４２の揺動を許すように（ピン６１ｃとの干渉を避けるように）、横方向に伸びる円弧状の形状となっている。
【００３５】
一方、前側支持リンク６１の前側のピン６１ｂは、裏機構前面部材５１に形成された長孔５１ｃ（図５参照）を貫通し、前述の柱部材４１の上端を梁部材４２にピン接点で結合するピン部材として機能している。即ち、前述の柱部材４１の上端と、梁部材４２の両端には、貫通孔４１ｂ，４２ｂがそれぞれ形成されている（図４参照）。そして組立て状態において、これら貫通孔４１ｂ，４２ｂに前記ピン６１ｂの先端が挿入され、柱部材４１の上端が梁部材４２の両端にピン接点で結合されている。また、これによって分岐部材６０が梁部材４２と一体となっている（即ち、分岐部材６０と梁部材４２が一体的に左右に揺動する構成となっている）。ここで、裏機構前面部材５１に形成された長孔５１ｃは、分岐部材６０と梁部材４２の揺動を許すように（ピン６１ｂとの干渉を避けるように）、横方向に伸びる円弧状の形状となっている。
【００３６】
なお、前述の柱部材４１の下端の前後にもピン（図４に前面側のみを符号４１ｂで示す）が設けられ、これらピンが入賞領域構成部７０や取付ベース３０（又は飾り部材４３）に形成された孔（図４に入賞領域構成部７０に形成された孔のみを符号７０ａで示す）に挿入されている。これによって、柱部材４１の下端が取付ベース３０に対してピン接点で結合され、分岐部材６０や梁部材４２の揺動に伴って柱部材４１の上端側が左右に揺動する構成となっている。
【００３７】
次に、カウントセンサ上ホルダ６３は、図８に示すカウントセンサ上６５を保持するものである。カウントセンサ上６５は、導入案内路３５を通過する遊技球Ｋを１個ずつ検出するものである。
【００３８】
次に、入賞領域構成部７０を、図６及び図７によって説明する。
入賞領域構成部７０は、前記中空部４ａの底面の位置に設けられて、遊技空間部の下流側を構成する部分である。この入賞領域構成部７０は、入賞領域上面部材７１と、入賞領域下面部材７２と、回転体７３，７４と、回転軸７５，７６（図７に示す）と、回転体モータ７７（図７に示す）と、モータ保持部材７８（図７に示す）と、駆動ギア７９（図７に示す）と、従動ギア８０（図７に示す）と、回転体ギア８１，８２（図７に示す）と、回転体位置検出センサ８３（図７に示す）と、分別ＳＯＬ（ソレノイド）８４（図６に示す）とを備える。
【００３９】
入賞領域上面部材７１は、前記中空部４ａの底面を構成する部材であり、図７に示すように、その上面には、回転体７３，７４を左右方向に隣接した状態で配置するための円形凹室９１，９２が形成されている。また、入賞領域上面部材７１の上面には、その左右両端側の奥から手前に伸び、さらに円形凹室９１，９２の周囲を囲む壁９１ａ，９２ａに沿うように円弧状に伸びて、入賞領域上面部材７１の前端部中央付近に至る経路には、誘導樋９３，９４が設けられている。また、円形凹室９１，９２の底面の中心位置には軸用貫通孔９４，９５がそれぞれ設けられ、円形凹室９１，９２の底面の比較的奥側の所定位置には特定入賞用落下口９６，９７と排出用傾斜部９８，９９が設けられている。また、排出用傾斜部９８，９９の径方向外側の位置には、円形凹室９１，９２から外側に張り出すように一般入賞用落下口１００，１０１が設けられている。また、円形凹室９１，９２の周囲を囲む壁９１ａ，９２ａの手前位置には、誘導樋９３，９４から回転体７３，７４へ遊技球を誘導可能とする誘導部１０２，１０３が形成されている。また、左側の誘導樋９３の終端位置（入賞領域上面部材７１の前端部中央付近）には、一般入賞用落下口１０４が形成されている。
【００４０】
ここで、誘導樋９３，９４は、前述の連通流路６４の下端から後方に流出した遊技球を、入賞領域上面部材７１の前端部中央（一般入賞用落下口１０４のある位置）に向けて誘導する樋である。即ち、前述の連通流路６４の下端から後方に流出した遊技球は、誘導樋９３，９４の始端にある壁９３ａ，９４ａに当って跳ね返り、誘導樋９３，９４の始端から前方に向かって流れ、図７に矢印Ｘ３で示すように、一般入賞用落下口１０４の位置に向けて誘導樋９３，９４内を流下する構成となっている。そして、誘導部１０２，１０３は、円形凹室９１，９２の周囲を囲む壁９１ａ，９２ａを切り欠くことにより形成された連通路であり、一般入賞用落下口１０４に向けて誘導樋９３，９４内を流下する遊技球を回転体７３，７４の側（円形凹室９１，９２内）に流入可能とするものでる。
なおこの場合、後述する分別突片４４ａが没状態（後退状態）である場合には、左側の誘導樋９３内を流下する遊技球は、多くの場合その勢いによって誘導部１０２の位置を通過し（即ち、回転体７３の側に流入せず）、終端位置に到達して一般入賞用落下口１０４から落下する構成となっている。一方、右側の誘導樋９４内を流下する遊技球は、必ず誘導部１０３から回転体７４の側に流入する構成となっている。というのは、右側の誘導樋９４の終端位置には、遊技球を誘導部１０３に案内する案内壁９４ｃが形成されているからである。
【００４１】
また、特定入賞用落下口９６，９７は、円形凹室９１，９２の周囲を囲む壁９１ａ，９２ａよりも若干内側に離れた位置に設けられ、回転体７３，７４の後述する特定領域１０８，１１０に入った遊技球を、入賞領域上面部材７１の下方に落下させるものである。また、排出用傾斜部９８，９９は、径方向外側に向かって（即ち、一般入賞用落下口１００，１０１に向かって）下方に傾斜したもので、回転体７３，７４の後述する一般領域１０７，１０９に入った遊技球を、一般入賞用落下口１００，１０１に落下させるものである。
なお、誘導樋９３，９４の外周を囲む壁９３ｂ，９４ｂのうち、左側の誘導樋９３の壁９３ｂには、後述する分別突片４４ａ（図６に示す）を誘導樋９３内の誘導部１０２よりも若干後流側の位置に出没させるための切欠き１０６が形成されている。
【００４２】
回転体７３，７４は、全体として円盤状の部材であり、円形凹室９１，９２内にはめ込まれた状態で回転可能となっている。このうち、左側の回転体７３の外周には、７個の一般領域１０７と、１個の特定領域１０８が、円周等分の位置に形成されている。ここで、一般領域１０７は、回転体７３の外周に形成された凹部であり、前述の誘導部１０２から遊技球が１個だけ入ることができる。この一般領域１０７の奥側底部には、底壁１０７ａが形成され、この一般領域１０７に入っている遊技球の特定入賞用落下口９６への落下がこの底壁１０７ａによって阻止される。一方、特定領域１０８は、やはり回転体７３の外周に形成された凹部であり、前述の誘導部１０２から遊技球が１個だけ入ることができる。この特定領域１０８の外周下部には、この特定領域１０８に入っている遊技球が径方向外側に排出されるのを阻止する外周壁１０８ａが形成されており、この特定領域１０８に入っている遊技球の一般入賞用落下口１００への落下がこの外周壁１０８ａによって阻止される。
【００４３】
一方、左側の回転体７４の外周には、２個の一般領域１０９と、１個の特定領域１１０が、円周等分の位置に形成されている。ここで、一般領域１０９は、回転体７４の外周に形成された凹部であり、前述の誘導部１０３から遊技球が１個だけ入ることができる。この一般領域１０９の奥側底部には、底壁１０９ａが形成され、この一般領域１０９に入っている遊技球の特定入賞用落下口９７への落下がこの底壁１０９ａによって阻止される。一方、特定領域１１０は、やはり回転体７４の外周に形成された凹部であり、前述の誘導部１０３から遊技球が１個だけ入ることができる。この特定領域１１０の外周下部には、この特定領域１１０に入っている遊技球が径方向外側に排出されるのを阻止する外周壁１１０ａが形成されており、この特定領域１１０に入っている遊技球の一般入賞用落下口１０１への落下がこの外周壁１１０ａによって阻止される。
【００４４】
次に、入賞領域下面部材７２は、入賞領域上面部材７１の下面側に固定される部材であり、遊技球を左右両側奥部から前側中央へと流す回収樋１１１，１１２と、前述の特定入賞用落下口９６から落下した遊技球を検出する特定領域センサ左１１３が設置される左側センサ収納部１１４と、前述の特定入賞用落下口９７から落下した遊技球を検出する特定領域センサ右１１５が設置される右側センサ収納部１１６と、残留球センサ１１７が配置される前側センサ収納部１１８と、を有する。
ここで、回収樋１１１，１１２の始端部（左右両側奥部）には、前述の一般入賞用落下口１００，１０１から落下した遊技球と、特定領域センサ左１１３又は特定領域センサ右１１５で検出されて、左側センサ収納部１１４又は右側センサ収納部１１６の内部を経由した遊技球が、落下又は流入する構成となっている。そして、回収樋１１１，１１２の始端部に落下又は流入した遊技球は、回収樋１１１，１１２内を前側中央（回収樋１１１，１１２の終端）に向かって流下し、この終端位置に配置された残留球センサ１１７によって検出される。また、前述の一般入賞用落下口１０４から排出された遊技球は、残留球センサ１１７内に落下し、やはり残留球センサ１１７によって検出される。なお、こうして残留球センサ１１７によって検出された遊技球（残留球センサ１１７の検出用開口を通過して流下した遊技球）は、その後、前側センサ収納部１１８を経由して、図示省略した流路によって遊技機下部に送られ、遊技機が設置される島側の設備に回収される。
【００４５】
回転軸７５は、入賞領域上面部材７１の前述した軸用貫通孔９４に挿通される軸部材であり、ネジ止め、スプライン勘合、スナップリング（図示省略）などによる軸の抜け止め等によって、上端が回転体１０７の中心孔に相対回転不能に取り付けられ、下端が回転体ギア８１の中心孔にやはり相対回転不能に取り付けられている。
回転軸７６は、入賞領域上面部材７１の前述した軸用貫通孔９５に挿通される軸部材であり、同様に、上端が回転体１０９の中心孔に相対回転不能に取り付けられ、下端が回転体ギア８２の中心孔にやはり相対回転不能に取り付けられている。
【００４６】
モータ保持部材７８は、回転体モータ７７を保持する部材であり、入賞領域上面部材７１の下面側に固定状態に取り付けられる。
回転体モータ７７は、回転体７３，７４を回転させるためのモータであり、出力軸が上下方向に配置され、その先端がモータ保持部材７８の上面に突出するように、モータ保持部材７８に下面側から取り付けられる。
駆動ギア７９は、回転体モータ７７の出力軸の先端に固定され、従動ギア８０と噛み合うように設けられるギアである。
また従動ギア８０は、回転体ギア８１，８２と噛み合うように設けられるギアである。
【００４７】
なお、従動ギア８０は、入賞領域上面部材７１の下面に下方に突出するように形成されたピンに対して回転自在に取り付けられている。
また、各回転体７３，７４の特定領域１０８，１１０が、夫々の誘導部１０２，１０３に対して非同期で臨む構成（特定領域１０８が誘導部１０２の位置にくるタイミングと、特定領域１１０が誘導部１０３の位置にくるタイミングが、同期しない構成）となっている。
回転体位置検出センサ８３は、従動ギア８０の回転位置を検出することによって、間接的に回転体７３，７４の回転位置を検出するセンサである。
【００４８】
次に、分別ＳＯＬ（ソレノイド）８４について、図６によって説明する。
分別ＳＯＬ８４は、入賞領域下面部材７２の左側面に固定状態に取り付けられ、前端側の可動部８４aが前後動するものである。ここで、可動部８４aは、レバー部材１２０と軸部材１２１と連結部材１２２によって、前述した可動飾り部材４４に連結されており、可動部８４ａの前後動に伴って、概略前後方向に移動する構成となっている。なお、可動飾り部材４４の裏面には、分別突片４４ａが形成されており、可動部８４ａの前後動に伴って、この分別突片４４ａが、前述の切欠き１０６から誘導樋９３内（誘導部１０２よりも若干後流側の位置）に対して出没する。
【００４９】
Ｃ．変動入賞装置における遊技球の流れ
次に、第１変動入賞装置４における遊技球の流れについて説明する。
可動片３２，３３が開状態のときに、可動片３２，３３によって受け入れられた遊技球Ｋは、まず図８に示すように、遊技空間部の上流である導入案内路３５上を導入口３４の奥に向かって流下し、裏機構５０の落下流路５２ａを経て分岐部材６０の所定位置（振分け突起６０ｃの真上又はその近傍）に落下する。次いで図９に示すように、遊技球Ｋは、振分け突起６０ｃの位置によって左方向又は右方向に振り分けられ、分岐部材６０の左側又は右側の案内路６０ａを流下し、左側又は右側の連通流路６４の上部に流入する。そして、連通流路６４の上部に流入した遊技球は、図５において矢印Ｘ１で示すように、この連通流路６４内をまず下方に流下し、その後矢印Ｘ２で示すように、この連通流路６４の下端部を奥側斜め下方に向かって流下する。
【００５０】
そして、左側の連通流路６４内を流下し、この連通流路６４の下端部を奥側斜め下方に流下した遊技球は、入賞領域構成部７０の左側の誘導樋９３の始端にある壁９３ａに当って跳ね返り、誘導樋９３の始端から前方に向かって流れ、図７に矢印Ｘ３で示すように、一般入賞用落下口１０４に向けて誘導樋９３内を流下する。
次いで誘導樋９３内を流下した遊技球は、分別突起４４ａが突出状態にあると、誘導部１０２を経て回転体７３の側（円形凹室９１内）に流入し、回転体７３のうちの何れかの一般領域１０７又は特定領域１０８に入る。そして、一般領域１０７に入った遊技球は、回転体７３の回転に伴って排出用傾斜部９８の位置に回転移動したときに、径方向外側に向かって流下し、一般入賞用落下口１００から下方に落下する。また、特定領域１０８に入った遊技球は、回転体７３の回転に伴って特定入賞用落下口９６に回転移動したときに、この特定入賞用落下口９６から下方に落下する。
また、誘導樋９３内を流下した遊技球は、分別突起４４ａが没状態にあると、ほとんどの場合、一般入賞用落下口１０４から排出されて下方に落下する。
【００５１】
一方、右側の連通流路６４内を流下し、この連通流路６４の下端部を奥側斜め下方に流下した遊技球は、入賞領域構成部７０の誘導樋９４の始端にある壁９４ａに当って跳ね返り、誘導樋９４の始端から前方に向かって流れ、図７に矢印Ｘ３で示すように、誘導樋９４内を流下する。
次いで誘導樋９４内を流下した遊技球は、誘導部１０３を経て回転体７４の側（円形凹室９２内）に流入し、回転体７４のうちの何れかの一般領域１０９又は特定領域１１０に入る。そして、一般領域１０９に入った遊技球は、回転体７４の回転に伴って排出用傾斜部９９の位置に回転移動したときに、径方向外側に向かって流下し、一般入賞用落下口１０１から下方に落下する。また、特定領域１１０に入った遊技球は、回転体７４の回転に伴って特定入賞用落下口９７に回転移動したときに、この特定入賞用落下口９７から下方に落下する。
【００５２】
なお、右側の回転体７４は３個の領域のうちの１個が特定領域であるため、分岐部材６０において右側に振り分けられた遊技球は、３分の１という高い確率で特定入賞（Ｖ入賞）することになる。一方、左側の回転体７３は８個の領域のうちの１個だけが特定領域であるため、分岐部材６０において左側に振り分けられた遊技球は、分別突起４４ａが突出状態にあっても、Ｖ入賞する確率は８分の１であり、低くおさえられている。
このため遊技者は、分岐部材６０による遊技球の振り分け動作に特に注目するようになる。
【００５３】
また、既述したように、一般入賞用落下口１００，１０１から下方に落下した遊技球は、回収樋１１１，１１２を経て残留球センサ１１７によって検出される。また、一般入賞用落下口１０４から排出された遊技球も、残留球センサ１１７内に落下し、やはり残留球センサ１１７によって検出される。
また、特定入賞用落下口９６から落下した遊技球は、左側特定領域センサ１１３で検出された後、回収樋１１１を経てやはり残留球センサ１１７によって検出される。また、特定入賞用落下口９７から落下した遊技球は、右側特定領域センサ１１５で検出された後、回収樋１１２を経てやはり残留球センサ１１７によって検出される。
つまり、第１変動入賞装置４に入賞した遊技球の全てが、最終的に残留球センサ１１７によって検出される。
【００５４】
Ｄ．制御系の構成
次に、本パチンコ機の制御系の構成について説明する。
図１０は制御系を示す図である。この制御系は、大きく分けて、遊技制御装置２００と、装飾制御装置２１０を初めとするその他の周辺装置等によって構成される。
遊技制御装置２００は、例えば遊技盤の裏面に取付けられた役物制御ユニット（図示略）により実現されている。図１０に示すように、遊技制御装置２００は、パチンコ遊技等に必要な役物制御を行うワンチップマイコンからなる遊技用マイクロコンピュータ２０１と、水晶の発振周波数を分周して所定のクロックを得る発振器２０２と、各種信号の入出力を行う入力インターフェース（Ｉ／Ｆ）２０３及び出力インターフェース（Ｉ／Ｆ）２０４とを有する。遊技用マイクロコンピュータ２０１は、ＣＰＵ２０５、ＲＯＭ２０６、ＲＡＭ２０７を内蔵しており、いわゆるアミューズチップ用のＩＣとして製造されている。
【００５５】
この遊技制御装置２００の入力インターフェース２０３には、第１始動口センサ１５１、第２始動口センサ１５２、第３始動口センサ１５３、入賞口センサ１５４、カウントセンサ下１５５からの検出信号が入力される。ここで、第１始動口センサ１５１は、始動入賞口８に入賞した遊技球を検出するセンサであり、第２始動口センサ１５２は、始動入賞口９に入賞した遊技球を検出するセンサであり、第３始動口センサ１５３は、始動入賞口７に入賞した遊技球を検出するセンサである。また、入賞口センサ１５４は、一般入賞口５〜６に入賞した遊技球をそれぞれ検出するセンサであり、一般入賞口がＮ個有る場合にはＮ個設けられる。また、カウントセンサ下１５５は、第２変動入賞装置１５（アタッカー）に入賞した遊技球を検出するセンサである。
また、入力インターフェース２０３には、前述の分岐部材位置検出センサ５９、カウントセンサ上６５、回転体位置検出センサ８３、特定領域センサ左１１３、特定領域センサ右１１５、及び残留球検出センサ１１７からの検出信号が入力される。
なお本例では、カウントセンサ上６５による遊技球の検出（即ち、第１変動入賞装置４への遊技球の入賞）によって払い出される賞球数は例えば３個とされ、カウントセンサ下１５５による遊技球の検出（即ち、第２変動入賞装置１５への遊技球の入賞）によって払い出される賞球数（例えば１５個）よりも少なく設定されている。
【００５６】
一方、出力インターフェース２０４からは、装飾制御装置２１０、排出制御装置２２０、及び前述の状態表示器３６に信号が出力される。
ここで、装飾制御装置２１０は、やはりマイクロコンピュータ（図示省略）を備え、遊技制御装置２００からの制御情報を受けて、前述した演出表示装置２０、分岐部材モータ５５、回転体モータ７７、及び分別ＳＯＬ８４の制御を行うとともに、可動部材開放ＳＯＬ左１６１、可動部材開放ＳＯＬ右１６２、下可動部材開放ＳＯＬ１６３、ランプ１６４（ＬＥＤ含む）の制御を行う。なお、可動部材開放ＳＯＬ左１６１は、前述の可動片３２を駆動するソレノイドであり、可動部材開放ＳＯＬ右１６２は、前述の可動片３３を駆動するソレノイドである。また、下可動部材開放ＳＯＬ１６３は、前述の第２変動入賞装置１５の開閉扉１６を駆動するソレノイドである。またランプ１６４は、前述した遊技盤１などに設けられた装飾ランプ類を構成する発光手段である。
また、排出制御装置２２０は、遊技制御装置２００からの制御情報（賞球データ）を受けて、排出装置２２１を制御して賞球の払い出しを行うものである。
なお、遊技制御装置２００には、バックアップ電源２３０が接続され、停電時の電源がこのバックアップ電源２３０から供給される。
【００５７】
Ｅ．遊技の内容及び遊技機の動作
次に、遊技制御装置２００等の制御により実現される本例のパチンコ機での遊技内容や遊技機の動作（変動入賞装置の動作を含む）について、図１１〜図１３を参照しつつ説明する。なお、図１１は、始動入賞口７（２回開きの始動口）への入賞によって開始された補助遊技において第１変動入賞装置４に入賞が有った場合の動作を説明するタイミングチャートであり、図１２は、始動入賞口７への入賞によって開始された補助遊技において第１変動入賞装置４に入賞が無い場合の動作を説明するタイミングチャートである。また、図１３は、遊技制御装置２００に設定された可動部材開放パターン選択テーブルを示す図である。
【００５８】
まず、遊技開始直後などの通常状態（補助遊技や大当たりになっていない状態）では、第１変動入賞装置４の可動片３２，３３や第２変動入賞装置１５の開閉扉１６は閉状態に維持され、各変動入賞装置の大入賞口は閉ざされて遊技球の入賞は不可能な状態に維持される。
そして、ガイドレール２を介して遊技領域中に打込まれた遊技球が、始動入賞口７〜９の何れかに入賞すると（即ち、始動入賞があると）、いわゆる大当たりのための始動条件が成立したとして、補助遊技（大当たりになるか否かを決する遊技）が行われる。
【００５９】
なお遊技制御装置２００は、上記始動入賞があると、大当たりになった時の遊技（特別遊技）の態様を決定するための乱数抽出を行う。本例の場合、図１３に示すように設定された乱数０〜２のうちの一つをランダムに選択する乱数抽出を実行し、大当たり発生時にこの乱数に基づいて特別遊技の態様を決定する。この場合、乱数０が抽出されると、大当たりの１〜１０ラウンドは上の変動入賞装置（第１変動入賞装置４）の可動部材（可動片３２，３３）を開放し、１１〜１５ラウンドは下の変動入賞装置（第２変動入賞装置１５）の可動部材（開閉扉１６）を開放する特別遊技となる。また、乱数１が抽出されると、大当たりの１〜５ラウンドは上の変動入賞装置の可動部材を開放し、６〜１５ラウンドは下の変動入賞装置の可動部材を開放する特別遊技となる。また、乱数２が抽出されると、大当たりの全てのラウンド（１〜１５ラウンド）において、下の変動入賞装置の可動部材を開放する特別遊技となる。この結果、乱数０が抽出されるケースよりも、乱数１が抽出されるケースの方が遊技者に有利（出球が多くなる）となり、乱数１が抽出されるケースよりも、乱数２が抽出されるケースの方が遊技者に有利となる。既述したように、下の変動入賞装置への入賞による賞球数（例えば１５個）の方が、上の変動入賞装置への入賞による賞球数（例えば３個）よりも多いからである。
【００６０】
そして、上記補助遊技では、第１変動入賞装置４の可動片３２，３３が所定の開放時間だけ前述の開状態に動作する開動作が所定回数（この場合、始動入賞口８，９では１回、始動入賞口７では２回）実行される（図１１及び図１２の上から２段目を参照）。
なおこの場合、補助遊技における可動片３２，３３の開放時間は、始動入賞口により異なる。始動入賞口８，９に入賞すると、上記可動片３２，３３は開放時間が例えば０．３秒の開動作を１回実行し、始動入賞口７に入賞した場合には、上記可動片３２，３３は開放時間が例えば０．４秒の開動作を０．８秒のインターバルで２回実行する。
【００６１】
そして、この補助遊技中に第１変動入賞装置４に入賞した遊技球が、特定領域センサ１１３又は１１５の有効期間中に、特定領域１０８又は１１０にＶ入賞すると（即ち特定領域センサ１１３又は１１５で検出されると）、大当りと呼ばれる遊技価値が付与される。
なお、特定領域センサ１１３又は１１５の有効期間とは、可動片３２，３３の開動作が開始されてから、所定の終期までの期間である。ここで、所定の終期とは、第１変動入賞装置４への遊技球の入賞（カウントセンサ上６５による遊技球の検出）が無いときには、可動片３２，３３の開動作が終了した時点から所定の設定時間Ｔ１（例えば、２．５秒）が経過した時点である（図１２の上から２段目と５段目を参照）。また、第１変動入賞装置４への遊技球の入賞が有るときには、カウントセンサ上６５によって検出された遊技球数が、残留球検出センサ１１７によって全て検出された時点である（図１１の上から２〜５段目を参照）。
【００６２】
また、補助遊技期間（始動入賞時点から上記所定の終期までの期間）は、始動入賞による補助遊技の生起（いいかえると、始動口センサ７〜９が有効か否かの状態）が無効化される（図１１及び図１２の上から６段目を参照）。なお、始動入賞による補助遊技の生起が無効化されるとは、始動入賞があっても補助遊技が行われないように始動入賞が無効化される（いいかえると、始動口センサ７〜９が無効化される）ことを意味し、始動入賞に基づく賞球払出は実行される。
【００６３】
そして、上記補助遊技における分岐部材６０及び枠体４０（柱部材４１と梁部材４２）や回転体７３，７４等の運転状態は、各種の態様があり得るが、本例では以下のように制御される。
即ち、通常状態では常に中立位置（柱部材４１が直立した状態）に保持されていた分岐部材６０及び枠体４０は、上記補助遊技中には、図１１及び図１２の上から７段目に示すように、右側への動作と、左側への動作を交互に２回繰り返す。
また、通常状態では常に高速回転していた回転体７３，７４は、前述した特定領域センサ１１３又は１１５の有効期間中には、図１１及び図１２の上から８段目に示すように、低速回転する。
【００６４】
また、可動飾り部材４４と一体の分別突片４４ａは、通常状態では常に没状態（誘導樋９３内から後退した状態）となっているが、前述した特定領域センサ１１３又は１１５の有効期間中には、図１１及び図１２の上から９段目に示すように、所定時間（例えば、０．８秒間）の出状態（誘導樋９３内に突出した状態）と前記没状態とを交互に繰り返す。
また、補助遊技期間中、演出表示装置２０では、図１１及び図１２の上から１０段目に示すように、補助遊技状態であることを報知したり演出したりする表示（補助遊技状態表示）が実行される。
【００６５】
次に、上記補助遊技においてＶ入賞があり、大当りが発生すると、例えば大当たり演出用の効果音（ファンファーレなど）を出力する処理などが実行された後に、第１変動入賞装置４又は第２変動入賞装置１５の可動部材（可動片３２，３３又は開閉扉１６）が、所定時間開状態となる開閉動作を例えば最高１８回繰返す大当り遊技が開始される。なお、上記大当たり遊技の一つのラウンドは、例えば各変動入賞装置への入賞球数が１０個になると、可動部材の開閉回数が上記最高回数に到達してなくても強制終了する。
そして、上記大当り遊技（可動部材が例えば最大１８回開閉する動作を一つのラウンドとするもの）は、所定のインターバル期間をおいて、図１３に示したように１５ラウンドまで繰り返し行われる。なお、この大当り遊技のラウンドを、Ｖ入賞を条件に継続する構成（Ｖ入賞がないと、次のラウンドを実行しない構成）としてもよい。
【００６６】
なお、この大当たり遊技における分岐部材６０や回転体７３，７４や分別突片４４ａの運転状態は、各種の態様があり得る。
例えば、分岐部材６０は、補助遊技中と同様に左右への動きを繰返してもよいし、中立状態をずっと継続する態様でもよい。また、回転体７３，７４の大当たり中の動作としては、低速回転でもよいし高速回転でもよい。また、分別突片４４ａは、補助遊技中と同様に出没を繰返してもよいし、出状態又は没状態をずっと継続する態様でもよい。
【００６７】
以上説明した本例の遊技機では、次のような効果が得られる。
（１）本例の遊技機では、可動部材３２，３３により変動入賞装置４内に受け入れられた遊技球が、分岐部材６０の左右両側方の何れかに振り分けられ、何れかの側の連通流路６４を経て、入賞領域のある遊技空間部の下流側に流下する。そして、この振り分けの方向は、揺動する分岐部材６０の頂部の位置によって変化する。しかも、表示部２０ａを前面に臨ませる中空部４ａの前面側内周縁に沿って枠体４０が設けられ、この枠体４０が分岐部材６０と一体に揺動する。
このため、遊技者は、枠体４０の揺動状態から、可動部材３２，３３により変動入賞装置４内に受け入れられた遊技球の振り分け動作を意識したり、振り分け方向を予想したりするようになり、変動入賞装置４内の遊技球の動きにも注目するようになる。即ち、本遊技機によれば、表示部２０ａを注視する遊技者に対して、遊技空間部でゲームを行う準備球（入賞領域に流入する遊技球、即ち連通流路６４を通過する遊技球）などの遊技球の動きに注目させることができ、遊技空間部における遊技球によるゲームを遊技者が見逃すことがない。
【００６８】
（２）特に本例の場合には、枠体４０が、下端側をピン接点で支持された一対の柱部材４１と、各柱部材の上端をピン接点で結合する梁部材４２とよりなる門形の形状であり、この門形の枠体４０が、前記中空部４ａの前面両側と上縁に配設され、分岐部材６０と一体に左右に揺動する（柱部材４１の上端側と梁部材４２が概略左右に移動するように揺動する）。このため、表示部２０ａを見る遊技者の妨げにならないようにしつつ、遊技者に分岐部材６０の動きを見せることが、効果的かつ確実に可能となる。
【００６９】
（３）また本例では、可動部材３２，３３により変動入賞装置４内に受け入れられた遊技球は、連通流路６４と誘導部１０２，１０３を経て、遊技空間部の下流側（中空部４ａの底面）に設けられた回転体７３，７４の周縁部の入賞領域（特定領域１０８，１１０又は一般領域１０７，１０９）に入賞する。この際、特定領域に入るか、一般領域に入るかは、回転体７３，７４の各領域と誘導部１０２，１０３の位置関係（即ち、回転体７３，７４の回転位置）によって決まる。ところが本遊技機では、複数の回転体７３，７４の特定領域が夫々の誘導部１０２，１０３に対して非同期で臨む構成となっているとともに、分岐部材６０により遊技球が左右何れかへ振り分けられるため、特定領域１０８，１１０へ入賞する可能性と遊技球を変動入賞装置４に対して発射するタイミングとの関係性がほとんどなくなる。このため、周期性のある回転体７３，７４を分別手段に用いているにもかかわらず、特定領域１０８，１１０への狙い打ちを行い難くでき、遊技の公正を期すことができる。
【００７０】
なお、本発明は上述した形態例に限られず、各種の変形や応用があり得る。
例えば、第２変動入賞装置１５が無い構成とすることもできる。
【００７１】
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【００７２】
【図１】パチンコ機の遊技盤を示す正面図である。
【図２】第１変動入賞装置の正面図である。
【図３】第１変動入賞装置の斜視図である。
【図４】第１変動入賞装置の分解斜視図である。
【図５】第１変動入賞装置の裏機構の分解斜視図である。
【図６】第１変動入賞装置４の入賞領域構成部を示す斜視図である。
【図７】第１変動入賞装置４の入賞領域構成部の分解斜視図である。
【図８】図２におけるＡ１断面図である。
【図９】前後方向に垂直な面で分岐部材や連通流路を切断した断面図である。
【図１０】パチンコ機の制御系を示す図である。
【図１１】補助遊技において第１変動入賞装置に入賞が有った場合の動作を説明するタイミングチャートである。
【図１２】補助遊技において第１変動入賞装置に入賞が無い場合の動作を説明するタイミングチャートである。
【図１３】遊技制御装置に設定された可動部材開放パターン選択テーブルを示す図である。
【符号の説明】
【００７３】
１  遊技盤
３  遊技領域
４  第１変動入賞装置（変動入賞装置）
４ａ  中空部
７〜９  始動入賞口（所定入賞部）
２０  演出表示装置
２０ａ  表示部
３０  取付ベース
３２，３３  可動片（可動部材）
４０  枠体
４１  柱部材
４２  梁部材
６０  分岐部材
６０ａ  案内路
６４  連通流路
７３，７４  回転体
１０２，１０３  誘導部
１０４  一般入賞用落下口（一般領域）
１０７，１０９  一般領域
１０８，１１０  特定領域
２００  遊技制御装置
【図１】
2006271833.tif 000003
【図２】
2006271833.tif 000004
【図３】
2006271833.tif 000005
【図４】
2006271833.tif 000006
【図５】
2006271833.tif 000007
【図６】
2006271833.tif 000008
【図７】
2006271833.tif 000009
【図８】
2006271833.tif 000010
【図９】
2006271833.tif 000011
【図１０】
2006271833.tif 000012
【図１１】
2006271833.tif 000013
【図１２】
2006271833.tif 000014
【図１３】
2006271833.tif 000015